【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
電力受信機のためにワイヤレス電力信号を生成する電力送信機を含む誘導電力伝送システムの動作方法であって、前記誘導電力伝送システムは前記電力信号の変調に基づく前記電力送信機と前記電力受信機との間の双方向通信をサポートし、前記方法は、
前記電力受信機が前記電力送信機に信号強度パッケージを送信することによって必須の構成フェーズを開始するステップと、
前記電力送信機及び前記電力受信機が、前記電力送信機及び前記電力受信機に関する電力伝送動作パラメータの第１のセットが選択される前記必須の構成フェーズを実行するステップと、
前記電力受信機がリクエストネゴシエーションフェーズに入るリクエストを送信するステップと、
前記電力送信機が前記電力受信機に承認を送信することによって前記リクエストネゴシエーションフェーズに入るリクエストを承認するステップであって、前記承認は、前記リクエストネゴシエーションフェーズに入るリクエストの受諾又は拒否を示す、ステップと、
前記リクエストネゴシエーションフェーズに入るリクエストの受信に応じて、前記電力送信機が前記リクエストネゴシエーションフェーズに入るステップと、
前記承認が、前記リクエストネゴシエーションフェーズに入るリクエストの受諾を示す場合、前記電力送信機からの前記承認の受信に応じて、前記電力受信機が前記リクエストネゴシエーションフェーズに入るステップと、
前記電力受信機及び前記電力送信機が前記リクエストネゴシエーションフェーズを実行することによって動作パラメータの第２のセットを決定するステップとを含み、
前記ネゴシエーションフェーズにあるとき、前記電力受信機及び前記電力送信機は前記パラメータの第２のセットを複数のネゴシエーションサイクルにおいて決定し、前記ネゴシエーションサイクルはそれぞれ、前記電力受信機が動作パラメータを指定するメッセージを送信し、前記電力送信機が当該動作パラメータを受諾又は拒否するメッセージをもって応答することを含む、方法。
【請求項２】
前記電力受信機は電力伝送フェーズ中に前記リクエストネゴシエーションフェーズに入るリクエストを送信する、請求項１に記載の方法。
【請求項３】
前記電力受信機は電力伝送フェーズに入る前に前記リクエストネゴシエーションフェーズに入るリクエストを送信する、請求項１に記載の方法。
【請求項４】
前記構成フェーズは、前記電力送信機がネゴシエーションフェーズをサポートするか否かを前記電力受信機が決定するステップを含み、前記電力受信機は、前記電力送信機が前記ネゴシエーションフェーズをサポートするか否かの決定に応じて、前記リクエストネゴシエーションフェーズに入るリクエストを送信するか否かを選択する、請求項１乃至３のいずれか一項に記載の方法。
【請求項５】
前記動作パラメータの第２のセットは、前記電力送信機と前記電力受信機との間の通信のための通信パラメータを含む、請求項１乃至３のいずれか一項に記載の方法。
【請求項６】
前記動作パラメータの第２のセットは、前記電力送信機から前記電力受信機への電力伝送のための電力レベルパラメータを含む、請求項１乃至３のいずれか一項に記載の方法。
【請求項７】
前記動作パラメータのセットは、前記送信機が伝送すべき保証電力レベルを含む、請求項６に記載の方法。
【請求項８】
前記電力レベルパラメータは、最大整流電力レベルである、請求項６に記載の方法。
【請求項９】
前記動作パラメータの第２のセットは、再構成リクエストによる電力伝送フェーズから構成フェーズへの移行を前記電力送信機がサポートするか否かの指標を含む、請求項１乃至３のいずれか一項に記載の方法。
【請求項１０】
前記動作パラメータの第２のセットは、再交渉リクエストによる電力伝送フェーズからネゴシエーションフェーズへの移行を前記電力送信機がサポートするか否かの指標を含む、請求項１乃至３のいずれか一項に記載の方法。
【請求項１１】
前記ネゴシエーションフェーズにあるとき、前記電力送信機は前記電力受信機から電力制御エラーメッセージを受信することに応じて電力伝送フェーズに進む、請求項１乃至３のいずれか一項に記載の方法。
【請求項１２】
前記ネゴシエーションフェーズにあるとき、前記電力受信機はネゴシエーションフェーズ終了メッセージを送信し、前記電力送信機は、前記ネゴシエーションフェーズ終了メッセージの受信に応じて、前記ネゴシエーションフェーズを終了して電力伝送フェーズに入る、請求項１乃至３のいずれか一項に記載の方法。
【請求項１３】
前記ネゴシエーションフェーズにあるとき、前記電力受信機は、前記パラメータの第２のセットが前記電力受信機の要求を満たさないという決定に応じて、給電終了メッセージを送信し、前記電力送信機は、前記給電終了メッセージの受信に応じて、前記ネゴシエーションフェーズを終了してスタンバイモードに戻る、請求項１乃至３のいずれか一項に記載の方法。
【請求項１４】
前記ネゴシエーションフェーズにあるとき、前記電力受信機は電力制御エラーメッセージを送信し、前記ネゴシエーションフェーズによって導入されたパラメータ変更を破棄した後電力伝送フェーズに入り、前記電力送信機は、前記電力制御エラーメッセージの受信に応じて、前記ネゴシエーションフェーズを終了し、前記ネゴシエーションフェーズによって導入されたパラメータ変更を破棄した後電力伝送フェーズに入る、請求項１乃至３のいずれか一項に記載の方法。
【請求項１５】
前記リクエストネゴシエーションフェーズに入るリクエストは前記構成フェーズのメッセージ内に含まれる、請求項１乃至３のいずれか一項に記載の方法。
【請求項１６】
前記必須の構成フェーズは、Ｑｉ電力伝送規格バージョン１．０又は１．１の仕様に従って実行される、請求項１乃至３のいずれか一項に記載の方法。
【請求項１７】
電力受信機のためにワイヤレス電力信号を生成する電力送信機を含む誘導電力伝送システムの前記電力送信機の動作方法であって、前記誘導電力伝送システムは前記電力信号の変調に基づく前記電力送信機と前記電力受信機との間の双方向通信をサポートし、前記方法は、
必須の構成フェーズを開始する信号強度パッケージを前記電力受信機から受信するステップと、
前記電力送信機及び前記電力受信機に関する電力伝送動作パラメータの第１のセットが選択される前記必須の構成フェーズを実行するステップと、
前記電力受信機からリクエストネゴシエーションフェーズに入るリクエストを受信するステップと、
前記電力受信機に承認を送信することによって前記リクエストネゴシエーションフェーズに入るリクエストを承認するステップであって、前記承認は、前記リクエストネゴシエーションフェーズに入るリクエストの受諾又は拒否を示す、ステップと、
前記リクエストネゴシエーションフェーズに入るリクエストの受信に応じて、前記リクエストネゴシエーションフェーズに入るステップと、
前記電力送信機及び前記電力受信機に関する電力伝送動作パラメータの第２のセットが選択される前記リクエストネゴシエーションフェーズを実行するステップとを含み、
前記ネゴシエーションフェーズにあるとき、前記電力送信機は前記パラメータの第２のセットを複数のネゴシエーションサイクルにおいて決定し、前記ネゴシエーションサイクルはそれぞれ、前記電力送信機が前記電力受信機から動作パラメータを指定するメッセージを受信し、前記電力送信機が当該動作パラメータを受諾又は拒否するメッセージをもって応答することを含む、方法。
【請求項１８】
電力受信機のためにワイヤレス電力信号を生成する電力送信機を含む誘導電力伝送システムの前記電力受信機の動作方法であって、前記誘導電力伝送システムは前記電力信号の変調に基づく前記電力送信機と前記電力受信機との間の双方向通信をサポートし、前記方法は、
前記電力送信機に信号強度パッケージを送信することによって必須の構成フェーズを開始するステップと、
前記電力送信機及び前記電力受信機に関する電力伝送動作パラメータの第１のセットが選択される前記必須の構成フェーズを実行するステップと、
リクエストネゴシエーションフェーズに入るリクエストを送信するステップと、
前記リクエストネゴシエーションフェーズに入るリクエストの受諾を示す前記電力送信機からの承認メッセージの受信に応じて前記リクエストネゴシエーションフェーズに入るステップと、
前記電力送信機及び前記電力受信機に関する電力伝送動作パラメータの第２のセットが選択される前記リクエストネゴシエーションフェーズを実行するステップとを含み、
前記ネゴシエーションフェーズにあるとき、前記電力受信機は前記パラメータの第２のセットを複数のネゴシエーションサイクルにおいて決定し、前記ネゴシエーションサイクルはそれぞれ、前記電力受信機が動作パラメータを指定するメッセージを送信し、前記電力受信機が前記電力送信機から当該動作パラメータを受諾又は拒否するメッセージを受信することを含む、方法。
【請求項１９】
電力送信機と電力受信機とを含む誘導電力伝送システムであって、前記電力送信機は前記電力受信機のためにワイヤレス電力信号を生成し、前記誘導電力伝送システムは前記電力信号の変調に基づく前記電力送信機と前記電力受信機との間の双方向通信をサポートし、
前記電力受信機は前記電力送信機に信号強度パッケージを送信することによって必須の構成フェーズを開始し、
前記電力送信機及び電力受信機は、前記電力送信機及び前記電力受信機に関する電力伝送動作パラメータの第１のセットが選択される前記必須の構成フェーズを実行し、
前記電力受信機はリクエストネゴシエーションフェーズに入るリクエストを送信し、
前記電力送信機は前記電力受信機に承認を送信することによって前記リクエストネゴシエーションフェーズに入るリクエストを承認し、前記承認は、前記リクエストネゴシエーションに入るリクエストの受諾又は拒否を示し、
前記電力送信機は、前記リクエストネゴシエーションフェーズに入るリクエストの受信に応じて、前記リクエストネゴシエーションフェーズに入り、
前記承認が、前記リクエストネゴシエーションフェーズに入るリクエストの受諾を示す場合、前記電力受信機は、前記電力送信機からの前記承認の受信に応じて、前記リクエストネゴシエーションフェーズに入り、
前記電力受信機及び前記電力送信機は、前記リクエストネゴシエーションフェーズを実行することによって動作パラメータの第２のセットを決定し、
前記ネゴシエーションフェーズにあるとき、前記電力受信機及び前記電力送信機は前記パラメータの第２のセットを複数のネゴシエーションサイクルにおいて決定し、前記ネゴシエーションサイクルはそれぞれ、前記電力受信機が動作パラメータを指定するメッセージを送信し、前記電力送信機が当該動作パラメータを受諾又は拒否するメッセージをもって応答することを含む、誘導電力伝送システム。
【請求項２０】
誘導電力伝送システムのための電力送信機であって、前記誘導電力伝送システムは電力信号の変調に基づく前記電力送信機と電力受信機との間の双方向通信をサポートし、前記電力送信機は、
前記電力信号を生成するための手段と、
必須の構成フェーズを開始する信号強度パッケージを前記電力受信機から受信するための手段と、
前記電力送信機及び前記電力受信機に関する電力伝送動作パラメータの第１のセットが選択される前記必須の構成フェーズを実行するための手段と、
前記電力受信機からリクエストネゴシエーションフェーズに入るリクエストを受信するための手段と、
前記リクエストネゴシエーションフェーズに入るリクエストの受諾又は拒否を示す承認を前記電力受信機に送信することによって前記リクエストネゴシエーションフェーズに入るリクエストを承認するための手段と、
前記リクエストネゴシエーションフェーズに入るリクエストの受信に応じて、前記リクエストネゴシエーションフェーズに入るための手段と、
前記電力送信機及び前記電力受信機に関する電力伝送動作パラメータの第２のセットが選択される前記リクエストネゴシエーションフェーズを実行するための手段とを含み、
前記ネゴシエーションフェーズにあるとき、前記電力送信機は前記パラメータの第２のセットを複数のネゴシエーションサイクルにおいて決定し、前記ネゴシエーションサイクルはそれぞれ、前記電力送信機が前記電力受信機から動作パラメータを指定するメッセージを受信し、前記電力送信機が当該動作パラメータを受諾又は拒否するメッセージをもって応答することを含む、電力送信機。
【請求項２１】
電力受信機のためにワイヤレス電力信号を生成する電力送信機を含む誘導電力伝送システムの電力受信機であって、前記電力伝送システムは前記電力信号の変調に基づく前記電力送信機と前記電力受信機との間の双方向通信をサポートし、前記電力受信機は受信機コントローラを含み、前記受信機コントローラは、
前記電力送信機に信号強度パッケージを送信することによって必須の構成フェーズを開始するための手段と、
前記電力送信機及び前記電力受信機に関する電力伝送動作パラメータの第１のセットが選択される前記必須の構成フェーズを実行するための手段と、
リクエストネゴシエーションフェーズに入るリクエストを送信するための手段と、
前記承認が、前記リクエストネゴシエーションフェーズに入るリクエストの受諾を示す場合、前記電力送信機からの承認メッセージの受信に応じて、前記リクエストネゴシエーションフェーズに入るための手段と、
前記電力送信機及び前記電力受信機に関する電力伝送動作パラメータの第２のセットが選択される前記リクエストネゴシエーションフェーズを実行するための手段とを含み、
前記ネゴシエーションフェーズにあるとき、前記電力受信機は前記パラメータの第２のセットを複数のネゴシエーションサイクルにおいて決定し、前記ネゴシエーションサイクルはそれぞれ、前記電力受信機が動作パラメータを指定するメッセージを送信し、前記電力受信機が前記電力送信機から当該動作パラメータを受諾又は拒否するメッセージを受信することを含む、電力受信機。
【請求項２２】
所定の応答時間内に承認が受信されなかった場合に、前記電力伝送動作パラメータの第１のセットに基づいてセットアップされる電力伝送フェーズに入るための手段を含む、請求項２１に記載の誘導電力伝送システムの電力受信機。